(57)【要約】【課題】合成樹脂製保持器に設けられたボール脱落防止用爪部のへたりや破損を防止することである。【解決手段】一対の軌道輪１ａ、１ｂ間にボール３を組込み、そのボール３を保持する保持器４を環状板部５の周方向に複数のポケット６を等間隔に設け、各ポケット６の開口縁にボール３の脱落防止用の爪部７を等間隔に設けた合成樹脂の成形品とする。環状板部５の上下端面に複数の突起９を設け、その突起９と軌道輪１ａ、１ｂの対向間隙Ｌ０  をボール３とポケット６間に形成された軸方向すきまδ０  以下として、軌道輪１ａ、１ｂに対する突起９の当接により保持器４の軸方向の移動を抑制し、爪部７のへたりや破損を防止する。【選択図】  図３
2004340290.tif 000002
【特許請求の範囲】
【請求項１】
一対の軌道輪と、その一対の軌道輪の対向面に形成された軌道溝に沿って転動可能な複数のボールと、そのボールを保持する保持器とから成り、前記保持器が、環状板部を有し、その環状板部に前記ボールを収容する複数のポケットが形成され、各ポケットの開口縁にボールの脱落防止用の爪部が設けられた合成樹脂の成形品から成るスラスト玉軸受において、前記保持器における環状板部の少なくとも一方の端面に複数の突起を設け、その突起の先端と軌道輪の端面間の対向間隙をボールとポケット間に形成された軸方向すきま以下としたことを特徴とするスラスト玉軸受。
【請求項２】
前記突起の先端と軌道輪の端面間の対向間隙をボールの球径の０．０３％以下とした請求項１に記載のスラスト玉軸受。
【発明の詳細な説明】
【０００１】
【発明の属する技術分野】
この発明は、軸方向の荷重を支持するスラスト玉軸受に関するものである。
【０００２】
【従来の技術】
この種のスラスト玉軸受として、複数のボールを保持する保持器を合成樹脂で成形したものが従来から知られている（特許文献１参照）。
【０００３】
図５（ＩＩ）は、上記特許文献１に記載された合成樹脂製の保持器を示し、図５（Ｉ）は、その保持器が組込まれたスラスト玉軸受を示す。スラスト玉軸受は、軌道溝２２を有する一対の軌道輪２１ａ、２１ｂと、その一対の軌道輪２１ａ、２１ａの軌道溝２２に沿って転動可能なボール２３と、そのボール２３を保持する保持器２４とから成っている。
【０００４】
保持器２４は環状板部２５にボール嵌入用の複数の縁形孔（ポケット）２６を周方向に等間隔に形成し、前記環状板部２５の端面に、各ポケット２６の周縁に沿ってボール保持用の環状受座（爪部）２７を設け、各爪部２７に一対の切欠部２８を形成している。
【０００５】
上記の構成から成る合成樹脂製の保持器２４においては、切欠部２８の形成によって爪部２７が周方向に不連続なものとされるため、弾性変形し易く、保持器２４の成形時に、成形治具を容易に離型させることができると共に、ポケット２６に対してボール２３を容易に組込むことができるという特徴を有している。
【０００６】
【特許文献１】
実公平０７−０２９２９９号公報
【０００７】
【発明が解決しようとする課題】
ところで、図５（Ｉ）に示すスラスト玉軸受においては、以下のような不都合がある。
【０００８】
すなわち、スラスト玉軸受用の合成樹脂製保持器においては、普通、ポケット２６の内径がボール２３の球径Ｄａの１０２〜１０４％で設計されるため、ポケット２６とボール２３の径差が公転方向すきまや軸方向すきまδ２  となって現れ、その軸方向すきまδ２  は、ボール２３の球径Ｄａの０．０２〜０．０３％程度とされる。この軸方向すきまδ２  はボール２３に対する軸方向のガタとなり、スラスト玉軸受の振動や騒音の原因になる。
【０００９】
また、保持器２４が軸方向に振動すると、爪部２７の先端部がボール２３に対して局部的に当り、爪部２７が弾性限界を超えて変形するおそれがある。特に、スラスト玉軸受に負荷される荷重が中心から偏った位置に作用した場合、複数のボール２３の相互において回転方向に遅れ進みが生じ、爪部２７の先端部に集中荷重が作用し、爪部２７が弾性限界を超えて変形して、爪部２７にへたりが生じ、あるいは破損するおそれがある。
【００１０】
この発明の課題は、合成樹脂から成る保持器の軸方向の振動を抑制し、その保持器に形成されたボール脱落防止用の爪部にへたりや破損が生じるのを防止することができるようにしたスラスト玉軸受を提供することである。
【００１１】
【課題を解決するための手段】
上記の課題を解決するために、この発明においては、一対の軌道輪と、その一対の軌道輪の対向面に形成された軌道溝に沿って転動可能な複数のボールと、そのボールを保持する保持器とから成り、前記保持器が、環状板部を有し、その環状板部に前記ボールを収容する複数のポケットが形成され、各ポケットの開口縁にボールの脱落防止用の爪部が設けられた合成樹脂の成形品から成るスラスト玉軸受において、前記保持器における環状板部の少なくとも一方の端面に複数の突起を設け、その突起の先端と軌道輪の端面間の対向間隙をボールとポケット間に形成された軸方向すきま以下とした構成を採用したのである。
【００１２】
上記のように、保持器に突起を設け、その突起の先端と軌道輪の端面間の対向間隙をボールとポケット間の軸方向すきま以下とすることにより、軌道輪に対する突起の当接によって、保持器の軸方向の移動を制限することができる。
【００１３】
このため、スラスト玉軸受が振動を伴う条件で使用されても、保持器はボールとポケット間に形成された軸方向すきまの範囲内で軸方向に振動することになり、ポケットの開口縁に設けられた爪部がボールに対する当接により弾性変形するのを防止することができる。
【００１４】
ここで、合成樹脂製の保持器においては、ポケットの内径がボールの球径の１０２〜１０４％で設計され、そのとき、ポケットとボール間に形成される軸方向のすきまはボールの球径の０．０２〜０．０３％程度であるため、突起と軌道輪の端面間の対向間隙は、ボールの球径の０．０３％以下となるようにする。
【００１５】
【発明の実施の形態】
以下、この発明の実施の形態を図１乃至図４に基づいて説明する。図１乃至図３に示すこの発明に係るスラスト玉軸受の第１の実施形態は、一対の軌道輪１ａ、１ｂと、その一対の軌道輪１ａ、１ｂの対向面に形成された軌道溝２に沿って転動可能な複数のボール３と、各ボール３を保持する保持器４とから成る。
【００１６】
保持器４は合成樹脂の成形品から成る。この保持器４は環状板部５を有し、その環状板部５にボール３を収容する複数のポケット６が周方向に等間隔に形成されている。
【００１７】
ポケット６の上下の開口縁にはボール３の脱落を防止する爪部７が設けられ、その爪部７の内周対向位置に切欠部８が設けられている。
【００１８】
ここで、ポケット６の内径をｄ、ボール３の球径をＤ０  とすると、ポケット６の内径ｄは、球径Ｄ０  の１０２〜１０４％とされている。このため、ボール３と爪部７の先端間には軸方向すきまδ０  が形成され、その軸方向すきまδ０  はボール球径Ｄ０  の０．０２〜０．０３％程度とされる。
【００１９】
環状板部５の上下端面における外周部には複数の突起９が周方向に等間隔に形成され、各突起９の先端と軌道輪１ａ、１ｂの端面間に間隙Ｌ０  が設けられている。この間隙Ｌ０  はボール３とポケット６間に形成された軸方向すきまδ０  以下とされている。
【００２０】
上記のように、環状板部５の上下両端面に複数の突起９を設け、各突起９と軌道輪１ａ、１ｂの対向面間の間隙Ｌ０  をボール３とポケット６間の軸方向すきまδ０  以下とすることにより、保持器４の軸方向の移動量を上記間隙Ｌ０  の範囲内とすることができ、上記突起９によって保持器４の移動を抑制することができる。
【００２１】
また、保持器４が軸方向に振動しても爪部７が弾性変形することがなく、爪部７のへたりや破損を防止することができる。
【００２２】
図４は、この発明に係るスラスト玉軸受の第２の実施形態を示す。この実施形態では、保持器４の環状板部５に形成されたポケット６の上側部分を下側部分より大きくすることにより軸方向すきまＬ１  を小さくして保持器４の下方向への動きを抑えるようにしている。
【００２３】
また、各ポケット６の下側開口縁にボール３の脱落を防止する爪部１０を設けると共に、環状板部５の上側端面の外周部に複数の突起１１を形成し、その突起１１と上側軌道輪１ａの対向面の間隙Ｌ１  をボール３とポケット６間に形成された軸方向すきまδ１  以下としている。
【００２４】
他の構成は図１に示すスラスト玉軸受と同一であるため、同一部分には同一の符号を付して説明を省略する。
【００２５】
第２の実施形態で示すスラスト玉軸受においても、保持器４が上方向に移動し、ボール３に対する当接によって爪部１０が弾性変形するまでに突起１１が上側の軌道輪１ａに当接して、保持器４の上方向への移動が抑制されるため、爪部１０のへたりや破損を防止することができる。また、ポケット６の上側部分を大きくしたことによって、保持器４が上方向に移動するとポケット６の上側開口部がボール３に当接して、ボール３を大きく抱き込むため、ポケット６の弾性変形を少なくすることができる。
【００２６】
【発明の効果】
以上のように、この発明においては、保持器の端面に複数の突起を設け、その突起の先端と軌道輪の端面間にボールとポケット間の軸方向すきま以下の間隙を設けたので、突起によって保持器の軸方向の振動を抑制することができ、ボールの脱落を防止する爪部のへたりや破損を防止することができる。
【図面の簡単な説明】
【図１】この発明に係るスラスト玉軸受の第１の実施形態を示す断面図
【図２】図１のＩＩ−ＩＩ線に沿った断面図
【図３】（Ｉ）は図２のイ−イ線に沿った断面図、（ＩＩ）は図２のロ−ロ線に沿った断面図
【図４】この発明に係るスラスト玉軸受の第２の実施形態を示す断面図
【図５】（Ｉ）は従来のスラスト玉軸受を示す断面図、（ＩＩ）は（Ｉ）の保持器の一部分を示す断面図
【符号の説明】
１ａ、１ｂ  軌道輪
２  軌道溝
３  ボール
４  保持器
５  環状板部
６  ポケット
７  爪部
９  突起
１０  爪部
１１  突起
【図１】
2004340290.tif 000003
【図２】
2004340290.tif 000004
【図３】
2004340290.tif 000005
【図４】
2004340290.tif 000006
【図５】
2004340290.tif 000007